(57)【要約】【課題】曲尺体の一方外辺縁と他方外辺縁との交点及び補助尺の端縁をそれぞれ基点として各基点からのスライド長を一方の基点に対する曲尺体の目盛又は他方の基点に対する補助尺の目盛を読み取ることにより、基準面に対する高さや深さをそれぞれ容易に測定することができ、測定の融通性を高めることができ、運搬や保管の利便性を高めることができ、構造も簡素化することができ、製作コストを低減することができる。【解決手段】曲尺体１にスライダ２をスライド自在に設け、スライダに補助尺３を設け、曲尺体の一方外辺縁１ｃと他方外辺縁１ｄとの交点Ｋ及び補助尺の端縁３ａをそれぞれ基点Ｂ１・Ｂ２として各基点からのスライド長Ｌを一方の基点に対する曲尺体の目盛Ｅ又は他方の基点に対する補助尺の目盛Ｆを読取可能に設けてなる。【選択図】図１
2014119308.tif 000002
【特許請求の範囲】
【請求項１】
曲尺体にスライダをスライド自在に設け、該スライダに補助尺を設け、該曲尺体の一方外辺縁と他方外辺縁との交点及び該補助尺の端縁をそれぞれ基点として該各基点からのスライド長を一方の基点に対する曲尺体の目盛又は他方の基点に対する該補助尺の目盛を読取可能に設けてなることを特徴とする段差測定具。
【請求項２】
直尺体にスライダをスライド自在に設け、該スライダに補助尺を設け、該直尺体の一方端縁及び該補助尺の端縁をそれぞれ基点として該各基点からのスライド長を一方の基点に対する直尺体の目盛又は他方の基点に対する該補助尺の目盛を読取可能に設けてなることを特徴とする段差測定具。
【請求項３】
上記スライダに摩擦抵抗を付与する抵抗付与機構を設けてなることを特徴とする請求項１又は２記載の段差測定具。
【発明の詳細な説明】
【技術分野】
【０００１】
本発明は基準面からの構築物等の高さや深さ、例えば路面に敷設されたマンホール蓋の浮上高さ及び沈下深さを測定する際に用いられる段差測定具に関するものである。
【背景技術】
【０００２】
従来、この種の段差測定具として、マンホール蓋を跨越可能な長さの主定規の中央部に補助定規を昇降自在に設け、補助定規によりマンホール蓋の中央部の浮上高さを測定する構造のものが知られている。
【先行技術文献】
【特許文献】
【０００３】
【特許文献１】実開平５−３８５０２号
【発明の概要】
【発明が解決しようとする課題】
【０００４】
しかしながら上記従来構造の場合、主定規の長さがマンホール蓋の直径より長いため、運搬や保管の利便性が低いことがあり、構造も複雑化し易いことがあるという不都合を有している。
【課題を解決するための手段】
【０００５】
本発明はこれらの不都合を解決することを目的とするもので、本発明のうちで、請求項１記載の発明は、曲尺体にスライダをスライド自在に設け、該スライダに補助尺を設け、該曲尺体の一方外辺縁と他方外辺縁との交点及び該補助尺の端縁をそれぞれ基点として該各基点からのスライド長を一方の基点に対する曲尺体の目盛又は他方の基点に対する該補助尺の目盛を読取可能に設けてなることを特徴とする段差測定具にある。
【０００６】
又、請求項２記載の発明は、直尺体にスライダをスライド自在に設け、該スライダに補助尺を設け、該直尺体の一方端縁及び該補助尺の端縁をそれぞれ基点として該各基点からのスライド長を一方の基点に対する直尺体の目盛又は他方の基点に対する該補助尺の目盛を読取可能に設けてなることを特徴とする段差測定具にある。
【０００７】
又、請求項３記載の発明は、上記スライダに摩擦抵抗を付与する抵抗付与機構を設けてなることを特徴とするものである。
【発明の効果】
【０００８】
本発明は上述の如く、請求項１記載の発明にあっては、曲尺体の一方外辺縁と他方外辺縁との交点及び補助尺の端縁をそれぞれ基点として各基点からのスライド長を一方の基点に対する曲尺体の目盛又は他方の基点に対する補助尺の目盛を読み取ることにより、基準面に対する高さや深さをそれぞれ容易に測定することができ、測定の融通性を高めることができ、運搬や保管の利便性を高めることができ、構造も簡素化することができ、製作コストを低減することができる。
【０００９】
又、請求項２記載の発明にあっては、直尺体の一方端縁及び補助尺の端縁をそれぞれ基点として各基点からのスライド長を一方の基点に対する直尺体の目盛又は他方の基点に対する補助尺の目盛を読み取ることにより、基準面に対する高さや深さをそれぞれ容易に測定することができ、測定の融通性を高めることができ、運搬や保管の利便性を高めることができ、構造も簡素化することができ、製作コストを低減することができる。
【００１０】
又、請求項３記載の発明にあっては、上記スライダに摩擦抵抗を付与する抵抗付与機構を設けているから、スライダの不測の滑動を防ぐことができ、目盛の読み取りの利便性を高めることができる。
【図面の簡単な説明】
【００１１】
【図１】本発明の実施の第一形態例の全体斜視図である。
【図２】本発明の実施の第一形態例の正面図である。
【図３】本発明の実施の第一形態例の分離斜視図である。
【図４】本発明の実施の第一形態例の分離斜視図である。
【図５】本発明の実施の第一形態例の分解正面図である。
【図６】本発明の実施の第一形態例の断面図である。
【図７】本発明の実施の第一形態例の使用状態図である。
【図８】本発明の実施の第一形態例の使用状態図である。
【図９】本発明の実施の第二形態例の正面図である。
【発明を実施するための形態】
【００１２】
図１乃至図９は本発明の実施の形態例を示し、この場合、構築物等としてのマンホール蓋Ｗの浮上高さＨ及び沈下深さＤの測定に適用したものであり、図１乃至図８は第一形態例、図９は第二形態例である。
【００１３】
図１乃至図８の実施の第一形態例において、１は曲尺体であって、図１、図２の如く、金属製にして、短辺部１ａ及び長辺部１ｂからなる。
【００１４】
２はスライダであって、図１、図２の如く、上記曲尺体１にスライド自在に設けられ、スライダ２に補助尺３が設けられ、この場合、図３の如く、上記スライダ２に摩擦抵抗を付与する抵抗付与機構４が設けられている。
【００１５】
この場合、図３、図４、図５、図６の如く、スライダ２は、上板２ａ、下板２ｂ、スペ−サ２ｃ及びスペーサを兼ねる補助尺３をビス２ｄにより積層状に重合保持し、スペ−サ２ｃ及び補助尺３間に曲尺体１をスライド自在に保持すると共にスペーサ２ｃに切欠部２ｅを形成し、スペーサ２ｃと上板２ａとの間に片持状の接触片２ｆをもつ抵抗付与部材２ｇを介装すると共に切欠部２ｅ内に板バネ部材２ｈを配置し、板バネ部材２ｈにより抵抗付与部材２ｇを曲尺体１の側端面に弾圧接触させ、この抵抗付与部材２ｇの弾圧接触によりスライダ２に曲尺体１の側面のスライド摺動に対する摩擦抵抗を付与するように構成している。
【００１６】
そして、上記曲尺体１の一方外辺縁１ｃとしての長辺部１ｂの外辺縁と他方外辺縁１ｄとしての短辺部１ａの外辺縁との交点Ｋ及び補助尺３の端縁３ａをそれぞれ基点Ｂ１・Ｂ２として各基点Ｂ１・Ｂ２からのスライド長Ｌを一方の基点Ｂ２に対する曲尺体１の目盛Ｅ又は他方の基点Ｂ１に対する補助尺３の目盛Ｆを読取可能に設けて構成している。
【００１７】
この場合、曲尺体１の目盛Ｅは、曲尺体１の一方外辺縁１ｃの側としての長辺部１ｂの外辺縁側に形成され、基点Ｂ１としての交点Ｋを零目盛として長手方向に５００ｍｍまでの長さ目盛が形成されており、又、補助尺３の目盛Ｆは、補助尺３の基点Ｂ２としての端縁３ａを零目盛として長手方向に６５ｍｍまでの長さ目盛が形成されている。
【００１８】
この実施の第一形態例は上記構成であるから、基準面Ｍに対する高さＨや深さＤ、この場合、基準面Ｍとしての路面に対するマンホール蓋Ｗの浮上高さＨや沈下深さＤを測定するに際し、図７の如く、基準面Ｍとしての路面に曲尺体１の他方外辺縁１ｄとしての短辺部１ａの外辺縁を当接して立設し、スライダ２を曲尺体１の長辺部１ｂに沿ってスライドしてマンホール蓋Ｗの上面Ｗ１に補助尺３の端縁３ａを当接し、補助尺３の端縁３ａとしての基点Ｂ２に対峙する曲尺体１の目盛Ｅを読み取ることになり、この読み取りにより、基準面Ｍに対する高さＨや深さＤをそれぞれ容易に測定することができ、この場合、基準面Ｍとしての路面からのマンホール蓋Ｗの浮上高さＨを測定することができ、浮上高さＨを３０ｍｍと読み取ることができる。
【００１９】
又、図８の如く、基準面Ｍとしての路面に曲尺体１の他方外辺縁１ｄとしての短辺部１ａの外辺縁を当接して立設し、スライダ２を曲尺体１の長辺部１ｂに沿ってスライドしてマンホール蓋Ｗの上面Ｗ１に補助尺３の端縁３ａを当接し、曲尺体１の交点Ｋとしての基点Ｂ１に対峙する補助尺３の目盛Ｆを読み取ることになり、この読み取りにより、基準面Ｍに対する高さＨや深さＤをそれぞれ容易に測定することができ、この場合、この読み取りにより基準面Ｍとしての路面からのマンホール蓋Ｗの沈下深さＤを測定することができ、沈下深さＤを３０ｍｍと読み取ることができる。
【００２０】
したがって、曲尺体１の一方外辺縁１ｃと他方外辺縁１ｄとの交点Ｋ及び補助尺３の端縁３ａをそれぞれ基点Ｂ１・Ｂ２として各基点Ｂ１・Ｂ２からのスライド長Ｌを一方の基点Ｂ２に対する曲尺体１の目盛Ｅ又は他方の基点Ｂ１に対する補助尺３の目盛Ｆを読み取ることにより、基準面Ｍに対する高さＨや深さＤをそれぞれ容易に測定することができ、この場合、基準面Ｍとしての路面に対するマンホール蓋Ｗの浮上高さＨ及び沈下深さＤをそれぞれ容易に測定することができ、測定の融通性を高めることができ、運搬や保管の利便性を高めることができると共に構造も簡素化することができ、製作コストを低減することができる。
【００２１】
この場合、上記スライダ２に摩擦抵抗を付与する抵抗付与機構４を設けているから、スライダ２の不測の滑動を防ぐことができ、目盛Ｅ・Ｆの読み取りの利便性を高めることができる。
【００２２】
図９の第二形態例は別例構造を示し、この場合、曲尺体１に代えて直尺体１１に適用した形態例であって、すなわち、図９の如く、上記直尺体１１にスライダ１２をスライド自在に設け、スライダ１２に補助尺１３が設けられ、上記スライダ１２に上記第一形態例と同様な摩擦抵抗を付与する抵抗付与機構１４が設けられている。
【００２３】
そして、図９の如く、上記直尺体１１の一方端縁１１ａ及び補助尺１３の端縁１３ａをそれぞれ基点Ｂ１・Ｂ２として各基点Ｂ１・Ｂ２からのスライド長Ｌを一方の基点Ｂ２に対する直尺体１１の目盛Ｅ又は他方の基点Ｂ１に対する補助尺１３の目盛Ｆを読取可能に設けて構成している。
【００２４】
この場合、直尺体１１の目盛Ｅは、曲尺体１の基点Ｂ１としての一方端縁１１ａの側に形成され、この基点Ｂ１を零目盛として長手方向に５００ｍｍまでの長さ目盛が形成されており、又、補助尺１３の目盛Ｆは、補助尺１３の基点Ｂ２としての端縁１３ａを零目盛として長手方向に６５ｍｍまでの長さ目盛が形成されている。
【００２５】
この実施の第二形態例にあっても、上記第一形態例と同様な作用効果を得ることができる。
【００２６】
すなわち、直尺体１１の一方端縁１１ａ及び補助尺１３の端縁１３ａをそれぞれ基点Ｂ１・Ｂ２として各基点Ｂ１・Ｂ２からのスライド長Ｌを一方の基点Ｂ２に対する直尺体１１の目盛Ｅ又は他方の基点Ｂ１に対する補助尺１３の目盛Ｆを読み取ることにより、基準面Ｍに対する高さＨや深さＤをそれぞれ容易に測定することができ、この場合、基準面Ｍとしての路面に対するマンホール蓋Ｗの浮上高さＨ及び沈下深さＤをそれぞれ容易に測定することができ、測定の融通性を高めることができ、運搬や保管の利便性を高めることができると共に構造も簡素化することができ、製作コストを低減することができる。
【００２７】
この場合、上記スライダ１２に摩擦抵抗を付与する抵抗付与機構１４を設けているから、スライダ１２の不測の滑動を防ぐことができ、目盛Ｅ・Ｆの読み取りの利便性を高めることができる。
【００２８】
尚、本発明は上記実施の形態例に限られるものではなく、例えば、測定対象として、マンホール蓋Ｗ、構築物等に限られるものではなく、又、曲尺体１、スライダ２、補助尺３、直尺体１１、スライダ１２、補助尺１３の形状や材質等は適宜変更して設計されるものである。
【００２９】
以上の如く、所期の目的を充分達成することができる。
【符号の説明】
【００３０】
Ｍ    基準面
Ｋ    交点
Ｂ１    基点
Ｂ２    基点
Ｌ    スライド長
Ｅ    目盛
Ｆ    目盛
１    曲尺体
１ｃ    一方外辺縁
１ｄ    他方外辺縁
２    スライダ
３    補助尺
３ａ    端縁
４    抵抗付与機構
１１    直尺体
１１ａ    一方端縁
１２    スライダ
１３    補助尺
１３ａ    端縁
１４    抵抗付与機構
【図１】
2014119308.tif 000003
【図２】
2014119308.tif 000004
【図３】
2014119308.tif 000005
【図４】
2014119308.tif 000006
【図５】
2014119308.tif 000007
【図６】
2014119308.tif 000008
【図７】
2014119308.tif 000009
【図８】
2014119308.tif 000010
【図９】
2014119308.tif 000011